(57)【要約】【課題】気管切開チューブの接続を強固に維持することができ、しかも、接続の解除を円滑に行なうことができる気管切開チューブ用コネクタを提供する。【解決手段】雄端子部２に外周係合面５と環状凸部６とを設ける。雌端子部３に内周係合面と当接端縁８とを設ける。雌端子部３の外周に外筒体９を設ける。外筒体９は、互いに対向する一対の第１対向壁部１０を押圧したとき一対の第２対向壁部１１が撓んで互いに離反する。両第１対向壁部１０に押圧爪１４を設け、両第２対向壁部１１に係止爪１５を設ける。押圧爪１４は両第１対向壁部１０の押圧により環状凸部６と当接端縁８との間に介入する。係止爪１５は第２対向壁部１１が撓んで互いに離反することにより環状凸部６への係止を解除する。【選択図】図１
2004344281.tif 000002
【特許請求の範囲】
【請求項１】
気管切開チューブの先端部に設けられた雄端子部と、他のチューブの先端部に設けられた雌端子部とを接続する気管切開チューブ用ワンタッチコネクタであって、
前記雄端子部は、その外周に形成された外周係合面と、該外周係合面の後端縁に沿って鍔状に突出する環状凸部とを備え、
前記雌端子部は、その内周に形成されて前記外周係合面に圧接係合する内周係合面と、該内周係合面が前記外周係合面に圧接係合したとき前記環状凸部の前側壁に当接する当接端縁とを備え、
該雌端子部の外周には、弾性を有して撓み自在の材料によって形成された筒状の外筒体が装着されており、
該外筒体は、前記雌端子部から所定間隔を存して該雌端子部を介して互いに対向する一対の第１対向壁部と、両第１対向壁部に連設され、前記雌端子部に近接して雌端子部を介して互いに対向し、両第１対向壁部を互いに接近する方向に押圧操作したとき、弾発的に撓んで雌端子部から離間する一対の第２対向壁部とを備え、
両第２対向壁部は、その内面側に突設されて、前記当接端縁が前記環状凸部の前側壁に当接したとき該環状凸部の後側壁に係止し且つ両第１対向壁部の前記押圧操作により第２対向壁部が弾発的に撓んだとき該環状凸部の後側壁への係止を解除する係止爪を備え、
両第１対向壁部は、その内面側に突設されて、前記押圧操作により前記環状凸部の前側壁と前記当接端縁との間に介入することにより該環状凸部を介して前記雄端子部を抜け方向に押圧し前記外周係合面と前記内周係合面との係合を解除する押圧爪を備えることを特徴とする気管切開チューブ用ワンタッチコネクタ。
【請求項２】
前記外筒体は、前記雌端子部の外周全周に形成された溝部に回転自在に嵌合する嵌合部を内周に備えることを特徴とする請求項１記載の気管切開チューブ用ワンタッチコネクタ。
【発明の詳細な説明】
【０００１】
【発明の属する技術分野】
本発明は、気管切開チューブ用ワンタッチコネクタに関し、詳しくは、気管切開チューブの端部と人口呼吸器回路等から延出された他のチューブの端部とを接続するコネクタに関する。
【０００２】
【従来の技術】
一般に、気管切開チューブは、人口呼吸器回路のチューブの端部に設けられた雌端子部が接続される雄端子部をその一端部に備えている（例えば、特許文献１参照）。
【０００３】
従来、この種の気管切開チューブにおいては、図７に示すように、雌端子部１６に雄端子部１７を挿着することによって接続状態となる。即ち、雄端子部１７は、シリコンゴム製のチューブ本体１８の端部に嵌合保持された合成樹脂製の筒状部材１９を回転自在に備えている。雌端子部１６は、シリコンゴム製のチューブ本体２０の端部に形成されており、その内径は前記筒状部材１９の外径よりも僅かに小さく形成されている。これにより、雄端子部１７と雌端子部１６とを接続したとき、雄端子部１７の筒状部材１９の外面に雌端子部１６の内面が圧接して強固に係合されるようになっている。なお、前記雄端子部１７の筒状部材１９は雌端子部１６を接続状態で雌端子部１６の回転を可能とするものである。
【０００４】
ところで、気管切開チューブへの人口呼吸器回路のチューブの接続作業や取外し作業は、極めて迅速に行う必要がある。しかし、雄端子部１７と雌端子部１６との接続を急ぐとその接続状態が不十分となりやすく、雌端子部１６から雄端子部１７が不用意に抜け出したり、雌端子部１６と雄端子部１７との接続部分から空気漏れが生じるおそれがある。
【０００５】
また、確実な接続状態を形成するために、雄端子部１７をより深くまで雌端子部１６に挿入するようにして強固に接続することが好ましいが、その反面、強固に接続された状態の雄端子部１７と雌端子部１６とは極めて外れ難い。このため、雄端子部１７と雌端子部１６との取外しの際には人口呼吸器回路のチューブ側の雄端子部１７を強く引っ張る必要があり、それに伴って気管切開チューブも引っ張られるために、気管切開チューブを取り付けた患者に苦痛が生じるおそれがある。しかも、患者に取り付けられている状態の気管切開チューブ本体は雌端子部１６と患者の首とが近接しているために、気管切開チューブ本体側の把持スペースが極めて小さく、雄端子部１７と雌端子部１６とをそれぞれ把持して引っ張る場合に、気管切開チューブ本体側を押えることが困難であるため取り外し操作が極めて困難となる。また、雄端子部１７と雌端子部１６とを取り外す場合には、例えば、Ｕ字状の取外し器具を雄端子部１７と雌端子部１６との間に介入させることによって両者の嵌合を解除する場合もあるが、取外し器具は気管切開チューブと別体であるために、紛失しやすく、取扱いが煩わしい。こうしたことから、気管切開チューブから人口呼吸器回路を取外す作業が迅速に行なえない不都合があった。
【０００６】
【特許文献１】
特開２００３−９３５１２号公報（第１図）
【０００７】
【発明が解決しようとする課題】
かかる不都合を解消して、本発明は、気管切開チューブの接続を強固に維持することができ、しかも、接続の解除を円滑に行なうことができる気管切開チューブ用ワンタッチコネクタを提供することを目的とする。
【０００８】
【課題を解決するための手段】
かかる目的を達成するために、本発明は、気管切開チューブの先端部に設けられた雄端子部と、他のチューブの先端部に設けられた雌端子部とを接続する気管切開チューブ用ワンタッチコネクタであって、前記雄端子部は、その外周に形成された外周係合面と、該外周係合面の後端縁に沿って鍔状に突出する環状凸部とを備え、前記雌端子部は、その内周に形成されて前記外周係合面に圧接係合する内周係合面と、該内周係合面が前記外周係合面に圧接係合したとき前記環状凸部の前側壁に当接する当接端縁とを備えている。更に、該雌端子部の外周には、弾性を有して撓み自在の材料によって形成された筒状の外筒体が装着されている。
【０００９】
該外筒体は、前記雌端子部から所定間隔を存して該雌端子部を介して互いに対向する一対の第１対向壁部と、両第１対向壁部に連設され、前記雌端子部に近接して雌端子部を介して互いに対向し、両第１対向壁部を互いに接近する方向に押圧操作したとき、弾発的に撓んで雌端子部から離間する一対の第２対向壁部とを備えている。
【００１０】
そして、両第２対向壁部は、その内面側に突設されて、前記当接端縁が前記環状凸部の前側壁に当接したとき該環状凸部の後側壁に係止し且つ両第１対向壁部の前記押圧操作により第２対向壁部が弾発的に撓んだとき該環状凸部の後側壁への係止を解除する係止爪を備えている。
【００１１】
また、両第１対向壁部は、その内面側に突設されて、前記押圧操作により前記環状凸部の前側壁と前記当接端縁との間に介入することにより該環状凸部を介して前記雄端子部を抜け方向に押圧し前記外周係合面と前記内周係合面との係合を解除する押圧爪を備えている。
【００１２】
本発明のコネクタによれば、前記雌端子部に前記雄端子部が挿入されると、雌端子部の内周係合面と雄端子部の外周係合面とが圧接して係合される。そして、雌端子部の前記当接端縁が雄端子部の環状凸部の前側壁に当接すると、雄端子部が雌端子部に深く挿入された状態となり十分な係合状態で接続される。このとき同時に、前記外筒体の第２対向壁部に形成された係止爪が雄端子部の環状凸部の後側壁に係止され、雌端子部からの雄端子部の抜け出しが確実に防止されるので、十分な接続状態を強固に維持することができる。
【００１３】
前記雌端子部と前記雄端子部との接続を解除する時には、両第１対向壁部を互いに接近する方向に押圧操作する。これによって、両第２対向壁部が弾発的に雌端子部から離反する方向に撓み、係止爪による環状凸部の後側壁への係止が解除される。同時に、両第１対向壁部が押圧操作によって雌端子部に近接し、押圧爪が当接端縁と環状凸部との間に介入する。このときの押圧爪の介入により、当接端縁と環状凸部との間隔が広げられ、雄端子部が押圧爪によって外れ方向に押し出される。
【００１４】
これによって、強固な係合状態が緩み、雌端子部と雄端子部との接続を円滑に解除することができる。そして、両第１対向壁部の押圧操作のみで、雌端子部と雄端子部との接続が解除できるので、他のチューブ側の雄端子部を強く引っ張る必要がなく、また、気管切開チューブ本体側を把持しなくても或いは把持しても軽く手を添える程度で雌端子部と雄端子部との接続を解除することができる。これにより、気管切開チューブを取り付けた患者に苦痛を与えることなく、また、気管切開チューブ本体側の把持スペースが極めて小さくても支障なく雌端子部と雄端子部との接続を解除することができる。しかも、従来のようなＵ字状の取外し器具を使用することなく極めて容易に雌端子部と雄端子部との接続の解除を行なうことができる。このように、本発明によれば、雄端子部と雌端子部との強固な接続状態の維持と容易な取外しとを両立させることができるだけでなく、雌端子部と雄端子部との接続と解除とを迅速に行うことができる。
【００１５】
また、本発明において、前記外筒体は、前記雌端子部の外周全周に形成された溝部に回転自在に嵌合する嵌合部を内周に備えることが好ましい。該外筒体は嵌合部を介して雌端子部の外周に回転自在に設けられるので、外筒体を回転させて両第１対向壁部を押圧操作し易い方向に向けることができる。これにより、両第１対向壁部の押圧操作を容易として雄端子部と雌端子部との接続解除を円滑に行なうことができる。
【００１６】
なお、本発明の気管切開チューブ用ワンタッチコネクタは、気管内チューブにおいても同様に採用できるものである。
【００１７】
【発明の実施の形態】
本発明の一実施形態を図面に基づいて説明する。図１は本実施形態のコネクタを示す説明的斜視図、図２（ａ）は本実施形態のコネクタにおける外筒体の説明的正面図、図２（ｂ）は図２（ａ）の外筒体の押圧変形状態を示す説明図、図３は図２（ａ）のＩＩＩ−ＩＩＩ線断面図、図４は図２（ａ）のＩＶ−ＩＶ線断面図、図５（ａ）は接続時の第１対向壁部及び押圧爪を示す説明的断面図、図５（ｂ）は取外し操作時の第１対向壁部の及び押圧爪を示す説明的断面図、図６（ａ）は接続時の第２対向壁部及び係止爪を示す説明的断面図、図６（ｂ）は取外し操作時の第２対向壁部の及び係止爪を示す説明的断面図である。
【００１８】
本実施形態の気管切開チューブ用ワンタッチコネクタ１は、図１に示すように、気管切開チューブＡに人口呼吸器回路から延出された回路チューブＢを接続するものであり、気管切開チューブＡの先端に設けられた雄端子部２と、回路チューブＢの先端に設けられた雌端子部３とによって構成される。
【００１９】
雄端子部２は、図１及び図５（ａ）に示すように、シリコンゴムによって形成された気管切開チューブＡの先端に回転自在に設けられた合成樹脂製の筒状部材４を備えている。該筒状部材４はその外周に外周係合面５を備え、更に該外周係合面５の後端縁に沿って鍔状に突出する環状凸部６を備えている。
【００２０】
雌端子部３は、図１及び図５（ａ）に示すように、シリコンゴムによって形成された回路チューブＢに形成されて前記外周係合面５に圧接係合する内周係合面７を備え、更に該内周係合面７が前記外周係合面５に圧接係合したとき前記環状凸部６の前側壁に当接する当接端縁８を備えている。図５（ａ）に示すように、該当接端縁８が前記環状凸部６の前側壁に当接したとき、外周係合面５と内周係合面７との圧接係合が十分に行なわれ、良好な接続状態となる。
【００２１】
該雌端子部３の外周には、図１に示すように、弾性を有して撓み自在の合成樹脂によって形成された外筒体９が回転自在に設けられている。該外筒体９は、図２（ａ）及び図３に示すように、互いに対向する一対の第１対向壁部１０と、図２（ａ）及び図４に示すように、両第１対向壁部１０の対向方向に直交して対向する一対の第２対向壁部１１とを備え、図３及び図４に示すように、その後端部の内方に突出して雌端子部３の外周全周に形成された溝部１２（図１参照）に回転自在に嵌合する嵌合部１３を備えている。
【００２２】
該外筒体９は、図２（ｂ）に示すように、一対の第１対向壁部１０を互いに接近する方向に押圧することで、一対の第２対向壁部１１が互いに離反する方向に撓む形状に形成されている。そして、図３に示すように、各第１対向壁部１０の内側には断面視３角形状の押圧爪１４が突設され、図４に示すように、各第２対向壁部１１の内側には断面視３角形状の係止爪１５が突設されている。
【００２３】
前記押圧爪１４は、図５（ａ）に示すように、雄端子部２と雌端子部３とを接続して雌端子部３の当接端縁８が筒状部材４の環状凸部６の前側壁に当接したとき、当接端縁８と環状凸部６との間に臨む位置に設けられている。前記係止爪１５は、図６（ａ）に示すように、雄端子部２と雌端子部３とを接続して雌端子部３の当接端縁８が筒状部材４の環状凸部６の前側壁に当接したとき、前記環状凸部６の後側壁に係止するように設けられている。
【００２４】
雄端子部２を雌端子部３に挿入するようにして両者を接続すると、雌端子部３の当接端縁８が雄端子部２の筒状部材４の環状凸部６の前側壁に当接し、雌端子部３の内周係合面７が外周係合面５に圧接係合される。このとき、図６（ａ）に示すように、外筒体９の第２対向壁部１１に設けられた係止爪１５が筒状部材４の環状凸部６の後側壁に弾発的に係止される。これにより、雄端子部２が抜け止めされて雌端子部３への接続状態が確実に維持される。
【００２５】
また、雄端子部２の筒状部材４は気管切開チューブＡに対して回転自在に設けられているので、雌端子部３の内周係合面７が筒状部材４の外周係合面５に圧接係合された状態で、雄端子部２に対して雌端子部３を所望の角度に回転させることができるが、このとき、係止爪１５は筒状部材４の環状凸部６の後側壁を係止しており、押圧爪１４は当接端縁８と環状凸部６との間から離反しているので、雄端子部２に対する雌端子部３の回転を円滑に行なうことができる。更に、前記外筒体９は、前述したように、嵌合部１３を介して雌端子部３の外周全周に回転自在に設けられているので、外筒体９を回転させて両第１対向壁部１０を押圧操作し易い方向に向けることができる。
【００２６】
雄端子部２と雌端子部３との接続を解除するときには、図５（ａ）及び図６（ａ）に示す接続状態から、図２（ｂ）に示すように外筒体９の両第１対向壁部１０を互いに接近する方向に押圧する。これにより、外筒体９の両第２対向壁部１１が外方に撓み、図６（ｂ）に示すように係止爪１５が筒状部材４の環状凸部６の後側壁から離反する。同時に、外筒体９の両第１対向壁部１０を押圧したことにより、図５（ｂ）に示すように押圧爪１４が雌端子部３の当接端縁８と雄端子部２の筒状部材４の環状凸部６との間に侵入して雄端子部２を抜け方向に押し出す。これによって、雌端子部３の内周係合面７と雄端子部２の筒状部材４の外周係合面５との圧接係合が弱まり、雄端子部２と雌端子部３との接続が容易に解除される。
【００２７】
以上のように本実施形態の気管切開チューブ用ワンタッチコネクタ１によれば、雄端子部２を雌端子部３に挿入するようにして確実に接続されたところで外筒体９の係止爪１５が筒状部材４の環状凸部６に係止するので、雌端子部３からの雄端子部２の抜け出しを確実に防止した接続状態を維持することができる。しかも、外筒体９の第１対向壁部１０を互いに接近する方向に押圧するだけで、係止爪１５による環状凸部６への係止を解除すると同時に押圧爪１４が環状凸部６を介して雄端子部２を押し出すので、これによって、強固な係合状態が緩み、雌端子部３と雄端子部２との接続を円滑に解除することができる。そしてこのように、両第１対向壁部１０の押圧操作のみで、雌端子部３と雄端子部２との接続が解除できるので、回路チューブＢ側の雄端子部２を強く引っ張ることが不要となり、殆ど抵抗無く気管切開チューブＡから回路チューブＢを取り外すことができる。更に、気管切開チューブＡの本体側を把持しなくても或いは把持しても軽く手を添える程度で回路チューブＢが取り外せるので、患者に苦痛を与えることなく、また、気管切開チューブＡ本体側の把持スペースが極めて小さくても支障なく回路チューブＢを取り外すことができる。また、両第１対向壁部１０の押圧は片手で行なうことができるだけでなく、従来のようなＵ字状の取外し器具（図示せず）を使用することなく極めて容易にチューブＢを取り外すことができる。このように、本実施形態によれば、気管切開チューブＡと回路チューブＢとを確実に強固に接続することができ、しかも、気管切開チューブＡからの回路チューブＢの取外しを両第１対向壁部１０の押圧のみで円滑に且つ迅速に行なうことができる。
【図面の簡単な説明】
【図１】本発明の一実施形態のコネクタを示す説明的斜視図。
【図２】（ａ）は本実施形態のコネクタにおける外筒体の説明的正面図、（ｂ）は（ａ）の外筒体の押圧変形状態を示す説明図。
【図３】図２（ａ）のＩＩＩ−ＩＩＩ線断面図。
【図４】図２（ａ）のＩＶ−ＩＶ線断面図。
【図５】（ａ）は接続時の第１対向壁部及び押圧爪を示す説明的断面図、（ｂ）は取外し操作時の第１対向壁部の及び押圧爪を示す説明的断面図。
【図６】（ａ）は接続時の第２対向壁部及び係止爪を示す説明的断面図、（ｂ）は取外し操作時の第２対向壁部の及び係止爪を示す説明的断面図。
【図７】従来の気管切開チューブの接続を示す説明的断面図。
【符号の説明】
１…気管切開チューブ用ワンタッチコネクタ、２…雄端子部、３…雌端子部、５…外周係合面、６…環状凸部、７…内周係合面、８…当接端縁、９…外筒体、１０…第１対向壁部、１１…第２対向壁部、１２…溝部、１３…嵌合部、１４…押圧爪、１５…係止爪。
【図１】
2004344281.tif 000003
【図２】
2004344281.tif 000004
【図３】
2004344281.tif 000005
【図４】
2004344281.tif 000006
【図５】
2004344281.tif 000007
【図６】
2004344281.tif 000008
【図７】
2004344281.tif 000009